【手続補正書】
【提出日】平成26年5月13日(2014.5.13)
【手続補正１】
【補正対象書類名】特許請求の範囲
【補正対象項目名】全文
【補正方法】変更
【補正の内容】
【特許請求の範囲】
【請求項１】
ＩＳ機で形成された後の、それぞれが首部を有するガラス容器を熱的に強化するための装置であって、
前記ガラス容器を再加熱して、前記ガラス容器の内部に適切な圧縮応力を得るのには十分に高いが、前記ガラス容器が変形するほど高くない温度まで上記ガラス容器の温度を上昇させる特別な焼き戻しのガラス焼きなまし炉と、
中の前記ガラス容器の応力のすべてが固定されるように、冷却ステーションの前記ガラス容器の外面および内面を、同時に急速に冷却する冷却ステーションと
を備え、
前記冷却ステーションが、
前記冷却ステーションの中に配置されたガラス容器の内部へ挿入するための冷却管であって、前記冷却管が、その遠位端に、前記ガラス容器の内部へ冷却用空気を配送する管ノズルを有する冷却管、
冷却用空気を、上方へ、前記冷却ステーションの中に配置された前記ガラス容器の底面に導く底面冷却器、および
前記冷却ステーションの中に配置された前記ガラス容器の外側に冷却用空気を導く冷却囲い板
を備え、
前記冷却囲い板が、
その頂部および底部がともに開いている中空の円筒状の囲い板本体、
前記円筒状の囲い板本体に供給される冷却用空気を、前記冷却ステーションの中に配置された前記ガラス容器の前記首部および口部の外側に導くように構成され配置されて、前記円筒状の囲い板本体の中に配置された第１の複数の開口、
前記円筒状の囲い板本体に供給される冷却用空気を、前記冷却ステーションの中に配置された前記ガラス容器の前記本体の外側に導くように構成され配置されて、前記円筒状の囲い板本体の中に配置された第２の複数の開口、および
前記中空の円筒状の囲い板本体の中へ前記開いている頂部を通して前記ガラス容器のそれぞれを移動させるように構成されたはさみ道具、
を備える装置。
【請求項２】
前記円筒状の囲い板本体が、前記冷却ステーションの中に配置された前記ガラス容器の外径より大きな内径、および前記冷却ステーションの中に配置された前記ガラス容器より上にも下にも延在する長さを有する請求項１に記載の装置。
【請求項３】
前記第１の複数の開口が、冷却用空気を、半径方向の内側へ、前記冷却ステーションの中に配置された前記ガラス容器の首部および口部の外側に導くように構成して配置される前記円筒状の囲い板本体の中に垂直に配置される請求項１に記載の装置。
【請求項４】
前記第１の複数の開口が、前記円筒状の囲い板本体において、前記円筒状の囲い板本体の周囲のまわりで同一の角度間隔で変位されて、複数の開口が長手方向に配置された複数の配列に構成して配置される請求項１に記載の装置。
【請求項５】
前記第１の複数の開口の、複数の開口が前記長手方向に配置された複数の配列が、おおよそ２０度の角度で変位される請求項４に記載の装置。
【請求項６】
前記第２の複数の開口が、冷却用空気を、内部へ、下向きに、前記冷却ステーションの中に配置された前記ガラス容器本体の外側に導くように、前記円筒状の囲い板本体の中で角をなして下向きに構成して配置され、前記第２の複数の開口が、前記円筒状の囲い板本体において、前記円筒状の囲い板本体の周囲のまわりで同一の角度間隔で変位されて、複数の開口が長手方向に配置された複数の配列に構成して配置され、前記第１の複数の開口の、複数の開口が前記長手方向に配置された複数の配列と、前記第２の複数の開口の、複数の開口が前記長手方向に配置された複数の配列とが、前記円筒状の囲い板本体の周囲のまわりで、角をなす配置で交番する請求項４に記載の装置。
【請求項７】
前記第２の複数の開口が、冷却用空気を、内部へ、下向きに、前記冷却ステーションの中に配置された前記ガラス容器本体の外側に導くように構成されて、前記円筒状の囲い板本体の中で角をなして下向きに配置される請求項１に記載の装置。
【請求項８】
前記第２の複数の開口の前記長手方向に配置された複数の開口の複数の配列が、おおよそ２０度の角度で変位される請求項７に記載の装置。
【請求項９】
前記第２の複数の開口が、前記円筒状の囲い板本体において、下方へおおよそ４５度の角度に構成して配置される請求項７に記載の装置。
【請求項１０】
前記冷却用空気が、前記冷却管を通って、おおよそ７５ミリバールからおおよそ１５０ミリバールの圧力で前記管ノズルに供給される請求項１に記載の装置。
【請求項１１】
前記冷却ステーションが、
前記第１の複数の開口および前記第２の複数の開口によって供給される前記冷却用空気を、前記冷却ステーションの中に配置された前記ガラス容器の外面に導くために、前記円筒状の囲い板本体を回転させるための装置をさらに備える請求項１に記載の装置。
【請求項１２】
前記円筒状の囲い板本体の前記回転が連続的である請求項１１に記載の装置。
【請求項１３】
前記円筒状の囲い板本体の前記回転が振動する請求項１１に記載の装置。
【請求項１４】
前記冷却ステーションが、
前記第１の複数の開口および前記第２の複数の開口によって供給される前記冷却用空気を、前記冷却ステーションの中に配置された前記ガラス容器の外面に導くために、前記円筒状の囲い板本体を回転させる、かつ／または軸方向に振動させるための装置をさらに備える請求項１に記載の装置。
【請求項１５】
ＩＳ機で形成された後の、それぞれが首部を有するガラス容器を熱的に強化するための装置であって、
前記ガラス容器を再加熱して、前記ガラス容器の内部に適切な圧縮応力を得るのには十分に高いが、前記ガラス容器が変形するほど高くない温度まで上記ガラス容器の温度を上昇させる特別な焼き戻しのガラス焼きなまし炉と、
中の前記ガラス容器の応力のすべてが固定されるように、冷却ステーションの中の前記ガラス容器の外面および内面を、同時に急速に冷却する冷却ステーションとを備え、前記冷却ステーションが、
前記冷却ステーションの中に配置されたガラス容器の内部へ挿入するための冷却管において、前記冷却管が、その遠位端に、前記ガラス容器の内部へ冷却用空気を配送する管ノズルを有する冷却管、
冷却用空気を、上方へ、前記冷却ステーションの中に配置された前記ガラス容器の底面に導くように構成された環状の底面冷却器、および
前記冷却ステーションの中に配置されたガラス容器の外側に冷却用空気を導く冷却囲い板を備え、
前記冷却囲い板が、
前記冷却ステーションの中に配置された前記ガラス容器の外径より大きな内径および前記冷却ステーションの中に配置された前記ガラス容器より上にも下にも延在する長さを有し、頂部および底部がともに開かれた中空の円筒状の囲い板本体、
前記円筒状の囲い板本体の外側に供給される冷却用空気を、前記冷却ステーションの中に配置された前記ガラス容器の首部および口部の外側へ導くように構成して配置されて、前記円筒状の囲い板本体の中に配置された第１の垂直な複数の開口、および
前記円筒状の囲い板本体の外側に供給される冷却用空気を、前記冷却ステーションの中に配置された前記ガラス容器本体の外側へ導くように、前記円筒状の囲い板本体の中に構成して配置された、角をなす第２の複数の開口を備える装置。
【請求項１６】
ＩＳ機で形成された後の、それぞれが首部を有するガラス容器を熱的に強化するための装置であって、
前記ガラス容器を再加熱して、前記ガラス容器の内部に適切な圧縮応力を得るのには十分に高いが、前記ガラス容器が変形するほど高くない温度まで上昇させる特別な焼き戻しのガラス焼きなまし炉と、
中の前記ガラス容器の応力のすべてが固定されるように、前記ガラス容器の外面および内面を、同時に急速に冷却する冷却ステーションと
を備え、前記冷却ステーションが、
前記冷却ステーションの中に配置された上記ガラス容器の外側に冷却用空気を導く冷却囲い板を備え、前記冷却ステーシンが円筒状の囲い板本体の中に配置された第１および第２の複数の開口を有する冷却囲い板を有し、前記第１の複数の開口が、前記冷却ステーションの中に配置された前記ガラス容器の前記首部および口部の外側に冷却用空気を導くように、前記円筒状の囲い板本体の中に構成して配置されており、前記第２の複数の開口が、前記円筒状の囲い板本体の中に配置されて、前記円筒状の囲い板本体の外側に供給される冷却用空気を、前記冷却ステーションの中に配置された前記ガラス容器本体の外側へ導き、
前記ガラス容器に向かって情報に冷却用空気を導くように前記冷却囲い板の内側に配置された環状の底面冷却器と、
を備える、装置。